(57)【要約】【課題】シートファイルの本体とは別体として形成したインデックスタブを、シートファイルに簡単に取り付けることが可能に形成する。【解決手段】第１方向Ｘに一定の幅Ｄを有し、かつインデックス情報表示用の先部４ａを、シートファイルの周辺部へ重ねるための基端部４ｂから、上記第１方向Ｘと直交する第２方向Ｙへ延出してなる本体４と、上記基端部４ｂから上記第１方向Ｘへ突出したシート状スペーサ部６とを具備しており、上記基端部４ｂ及びシート状スペーサ部６に上記シートファイルへの接着部１２を形成した。【選択図】図１
2014233842.tif 000002
【特許請求の範囲】
【請求項１】
矩形のシートファイルの一辺へ装着するための複数のインデックスタブの組み合わせであって、
各インデックスタブ(２)は同一の幅を有する本体(４)で形成し、この本体のうち幅方向(Ｘ)と直交する長さ方向(Ｙ)の一方端部である基端部(４ｂ)の表側又は裏側に、上記シートファイルへの接着部(１２)を形成し、この接着部(１２)は、基端部(４ｂ)を除く本体部分で形成する先部(４ａ)を支持する程度の接着力を有するように設け、かつ次の要件（ａ）から（ｄ）を全て具備することを特徴とするシートファイル装着用のインデックスタブの組み合わせ。
（ａ）上記インデックスタブ(２)の組み合わせに含まれるインデックスタブの枚数をＮとすると、各インデックスタブ(２)の先部(４ａ)の長さは、或る単位長さ(ＬＵ)の１倍からＮ倍までの範囲の整数倍であること。
（ｂ）各インデックスタブ(２)の先部(４ａ)の長さは互いに異なること。
（ｃ）先部(４ａ)の長さが単位長さ(ＬＵ)であるインデックスタブ(２)に関しては、先部(４ａ)全体をインデックス情報表示用の表示セクション(１０Ａ)に形成したこと。
（ｄ）先部の長さが単位長さ(ＬＵ)の２倍からＮ倍までの整数倍であるインデックスタブ(２)に関しては、上記先部(４ａ)のうち本体(４)の先端から単位長さ(ＬＵ)までの部分をインデックス情報表示用の表示セクション(１０Ａ)とし、先部(４ａ)のうち残りの部分を透明セクション(１０Ｂ)として、インデックスタブ(２)の組み合わせを重ね合せた状態で一つのインデックスタブ(２)の表示セクション(１０Ａ)を、他のインデックスタブ(２)の透明セクション(１０Ｂ)を通して透視することが可能に形成したこと。
【請求項２】
矩形のシートファイルの一辺へ装着するための複数のインデックスタブの組み合わせであって、
各インデックスタブ(２)は同一の幅を有する本体(４)で形成し、この本体のうち幅方向(Ｘ)と直交する長さ方向(Ｙ)の一方端部である基端部(４ｂ)の表側又は裏側に、上記シートファイルへの接着部(１２)を形成し、この接着部(１２)は、基端部(４ｂ)を除く本体部分で形成する先部(４ａ)を支持する程度の接着力を有するように設け、かつ次の要件（ａ）から（ｃ）を全て具備することを特徴とするシートファイル装着用のインデックスタブの組み合わせ。
（ａ）上記インデックスタブ(２)の組み合わせに含まれるインデックスタブの枚数をＮとすると、各インデックスタブ(２)の先部(４ａ)の長さは、或る単位長さ(ＬＵ)のＮ倍であること。
（ｂ）各インデックスタブ(２)の先部(４ａ)の長さが同じであること。
（ｃ）上記先部(４ａ)のうち本体(４)の先端から単位長さ(ＬＵ)までの部分をインデックス情報表示用の表示セクション(１０Ａ)とし、先部(４ａ)のうち残りの部分を透明セクション(１０Ｂ)として、インデックスタブ(２)の組み合わせを重ね合せた状態で一つのインデックスタブ(２)の表示セクション(１０Ａ)を、他のインデックスタブ(２)の透明セクション(１０Ｂ)を通して透視することが可能に形成したこと。
【請求項３】
請求項１又は請求項２記載のインデックスタブの組み合わせと、この組み合わせの各インデックスタブをシートファイルの一辺に位置決めするためのシート状のインデックスタブ位置決め手段とのセットであって、
上記各インデックスタブ(２)は長方形状であり、
インデックスタブ位置決め手段(２０)は、少なくともインデックスタブ(２)の幅(Ｄ)のＮ倍以上の幅を有する一枚のシート材(２２)で形成されており、シートファイルに対するインデックスタブ位置決め手段(２０)の幅方向の位置を決めるための、シート材(２２)の長さ方向の一辺で形成される、第１位置決め用ベースライン(２４)と、シートファイルに対するインデックスタブ位置決め手段の長さ方向の位置を決めるための、シート材の適所に幅方向に延びる第２位置決め用ベースライン(２６)とを有しており、この第２位置決め用ベースライン(２６)に沿って、等間隔に、各インデックスタブ(２)の基端部(４ｂ)の幅方向及び長さ方向の位置を決めるための複数の位置決め用マーク(３０)を形成してなる、
ことを特徴とする、インデックスタブの組み合わせとインデックスタブ位置決め手段とのセット。
【請求項４】
請求項３記載のインデックスタブの組み合わせとインデックスタブ位置決め手段とのセットであり、
上記インデックスタブの組み合わせを、請求項１記載のインデックスタブの組み合わせとするとともに、各インデックスタブ(２)の基端部(４ｂ)の長さを上記単位長さと同じとし、
上記インデックスタブ位置決め手段(２０)を形成するシート材(２２)を、第２位置決め用ベースライン(２６)を兼ねる折り目線で２つ折りし、かつ、上記位置決め用マーク(３０)を、上記各インデックスタブ(２)の基端部(４ｂ)にフィットする形状の位置決め用孔として形成したことを特徴とする、インデックスタブの組み合わせとインデックスタブ位置決め手段とのセット。
【請求項５】
請求項３記載のインデックスタブの組み合わせとインデックスタブ位置決め手段とのセットであり、
上記インデックスタブの組み合わせを、請求項２記載のインデックスタブの組み合わせとするとともに、各インデックスタブ(２)の基端部(４ｂ)の長さを上記単位長さと同じとし、
上記インデックスタブ位置決め手段(２０)が有する第２位置決め用ベースライン(２６)を、第１位置決め用ベースライン(２４)の隣りに存するシート材(２２)の他の一辺で形成し、
上記位置決め用マーク(３０)は、シート材(２２)に対するインデックスタブ(２)の基端部(４ｂ)の幅方向の位置を決めるための第１マーク部(３０Ａ)と、シート材(２２)に対するインデックスタブ(２)の基端部(４ｂ)の長さ方向の位置を決めるための第２マーク部(３０Ｂ)とからなり、
上記第１マーク部(３０Ａ)は、相互に単位長さ(ＬＵ)と同じ間隙を存して第２位置決め用ベースライン(２６)と平行に配置されたＮ本の直線部(ｓ１〜ｓＮ)で構成され、第２位置決め用ベースライン(２６)から、第２位置決め用ベースライン(２６)に最も近い直線部(ｓ１)までの距離を単位長さ(ＬＵ)としたことを特徴とする、インデックスタブの組み合わせとインデックスタブ位置決め手段とのセット。
【請求項６】
上記本体(４)の基端部(４ｂ)から本体(４)の幅方向(Ｘ)へ位置決め用突部(６)を突設しており、この位置決め用突部(６)は、上記幅方向(Ｘ)に本体(４)の幅とほぼ同じ幅を有し、この位置決め用突部(６)の表側又は裏側のうち、上記本体(４)の基端部(４ｂ)に接着部(１２)を設けた側と同じ側に、接着部を形成したことを特徴とする、請求項１又は請求項２記載のインデックスタブの組み合わせ。
【発明の詳細な説明】
【技術分野】
【０００１】
本発明は、シートファイル装着用インデックスタブの組み合わせ並びにこのインデックスタブの組み合わせとインデックスタブ位置決め手段とのセットに関する。
【背景技術】
【０００２】
表側シート部及び裏側シート部の間に紙類を挟むための複数のシートファイルの組み合わせが提案されている。各シートファイルは、左右の側辺の一方から突出するインデックスタブを有する。各シートファイルのインデックスタブの突出箇所は、相互に高さを相違して、それらシートファイルを重ねると、全てのシートファイルのインデックスタブが高さ方向に一覧可能性を保持して見えるように形成されている（特許文献１の第３図参照）。
【０００３】
本明細書において「一覧可能性」とは、見出し機能を有する複数のオブジェクトが一方向に配列（以下「展開」という）されて現れ、全てのオブジェクトを一括して見ることが可能であることをいう。
【先行技術文献】
【特許文献】
【０００４】
【特許文献１】特開平５−１８５７８９
【発明の概要】
【発明が解決しようとする課題】
【０００５】
特許文献１のインデックスタブ付きシートファイルの組み合わせは、高さ方向（側辺に沿った方向）に全てのインデックスが一覧可能に現れるので、資料の整理に大変便利である。しかしながら、その一覧可能性は、側辺に沿った一方向に限られる。［インデックスタブの側辺方向の幅］×［インデックスタブの数］がシートファイルの側辺の長さを超えると、それらのインデックスタブを全て同時に見ることはできない。
【０００６】
本出願人は、この問題を鋭意検討した。そして、従来の如く、インデックスタブの突出位置を調整することで、シートファイルの一辺（インデックスタブ付きの辺）に沿ってインデックスタブを展開する代わりに、各インデックスタブの突出長を調整することで、インデックスタブ付きファイルの辺と直交する方向に複数のインデックスを展開するというアイディアに想い至った。さらに当該辺に沿った方向及びその辺に直交する方向の２方向にインデックスタブを展開すると、インデックスの情報量が格段に増して好適であることも判った。
【０００７】
しかしながら、ファイルの辺と直交する方向に複数のインデックスを展開するには、インデックスタブの突出長を長くしなければならない。インデックスタブ及びシートファイルを一枚のシートから形成すると、材料に無駄を生じ、歩留まりが悪くなる。
【０００８】
本発明の第１の目的は、シートファイルの本体とは別体として形成したインデックスタブの組み合わせを、シートファイルに簡単に取り付けることが可能に形成することである。
本発明の第２の目的は、当該インデックスタブの組み合わせにおいて、それらファイルの順序を入れ替えても一覧可能性を損なわないインデックスタブ付きのシートファイルを提供することである。
本発明の第３の目的は、インデックスタブの組み合わせと、このインデックスタブをシートファイルに効率的に取り付けるためのインデックスタブ位置決め手段とのセットを提供することである。
【課題を解決するための手段】
【０００９】
第１の手段は、矩形のシートファイルの一辺へ装着するための複数のインデックスタブの組み合わせであって、
各インデックスタブ２は同一の幅を有する本体４で形成し、この本体のうち幅方向Ｘと直交する長さ方向Ｙの一方端部である基端部４ｂの表側又は裏側に、上記シートファイルへの接着部１２を形成し、この接着部１２は、基端部４ｂを除く本体部分で形成する先部４ａを支持する程度の接着力を有するように設け、かつ次の要件（ａ）から（ｄ）を全て具備することを特徴とするシートファイル装着用のインデックスタブの組み合わせ。
（ａ）上記インデックスタブ２の組み合わせに含まれるインデックスタブの枚数をＮとすると、各インデックスタブ２の先部４ａの長さは、或る単位長さＬＵの１倍からＮ倍までの範囲の整数倍であること。
（ｂ）各インデックスタブ２の先部４ａの長さは互いに異なること。
（ｃ）先部４ａの長さが単位長さＬＵであるインデックスタブ２に関しては、先部４ａ全体をインデックス情報表示用の表示セクション１０Ａに形成したこと。
（ｄ）先部の長さが単位長さＬＵの２倍からＮ倍までの整数倍であるインデックスタブ２に関しては、上記先部４ａのうち本体４の先端から単位長さＬＵまでの部分をインデックス情報表示用の表示セクション１０Ａとし、先部４ａのうち残りの部分を透明セクション１０Ｂとして、インデックスタブ２の組み合わせを重ね合せた状態で一つのインデックスタブ２の表示セクション１０Ａを、他のインデックスタブ２の透明セクション１０Ｂを通して透視することが可能に形成したこと。
【００１０】
本手段では、図１の如くインデックスタブ２の本体４の先部４ａの長さが一定の長さ（単位長さＬＵ）を単位として変化するインデックスタブ２の組み合わせを提案している。そして先部４ａの先端側から単位長さの部分をインデックス情報表示用の表示セクション１０Ａとし、残りの部分を透明セクション１０Ｂとしている。これにより、まずシートファイルへのインデックスタブの取り付け場所を変化させ、かつ一つのインデックスタブ２での表示セクション１０Ａの位置を変化させることで、図６に示す如くインデックス情報を２方向（幅方向及び長さ方向）に展開することができ、１方向にのみ展開する既存の技術に比べて情報量が飛躍的に向上する。またインデックスタブ２の先部４ａのうち表示セクション１０Ａ以外の部分を透明にしたので、図６の状態から、図７（Ａ）→図７（Ｂ）→図８の如くインデックスタブ２付きのシートファイルの順番を入れ替えても、一のインデックスタブ２の表示セクション１０Ａを、他のインデックスタブ２の透明セクション１０Ｂを通して透視できる。
【００１１】
第２の手段は、
矩形のシートファイルの一辺へ装着するための複数のインデックスタブの組み合わせであって、
各インデックスタブ２は同一の幅を有する本体４で形成し、この本体のうち幅方向Ｘと直交する長さ方向Ｙの一方端部である基端部４ｂの表側又は裏側に、上記シートファイルへの接着部１２を形成し、この接着部１２は、基端部４ｂを除く本体部分で形成する先部４ａを支持する程度の接着力を有するように設け、かつ次の要件（ａ）から（ｃ）を全て具備することを特徴とするシートファイル装着用のインデックスタブの組み合わせ。
（ａ）上記インデックスタブ２の組み合わせに含まれるインデックスタブの枚数をＮとすると、各インデックスタブ２の先部４ａの長さは、或る単位長さＬＵのＮ倍であること。
（ｂ）各インデックスタブ２の先部４ａの長さが同じであること。
（ｃ）上記先部４ａのうち本体４の先端から単位長さＬＵまでの部分をインデックス情報表示用の表示セクション１０Ａとし、先部４ａのうち残りの部分を透明セクション１０Ｂとして、インデックスタブ２の組み合わせを重ね合せた状態で一つのインデックスタブ２の表示セクション１０Ａを、他のインデックスタブ２の透明セクション１０Ｂを通して透視することが可能に形成したこと。
【００１２】
本手段は、第１の手段の要件のうちインデックスタブ２の先部４ａの長さを同じとしたものである（図１４参照）。この場合には、シートファイル１０２の長さ方向（図８の上下方向）に対するインデックスタブ２の基端部４ｂの位置を調整することで、実質的に第１の手段と同じ作用を実現することができる。基端部４ｂの位置を効率よく調整するための位置決め手段に関して後述する。上述の相違点を除いて、第１の手段で述べたことは、本手段に援用する。
【００１３】
第３の手段は、第１の手段又は第２の手段に記載のインデックスタブの組み合わせと、この組み合わせの各インデックスタブをシートファイルの一辺に位置決めするためのシート状のインデックスタブ位置決め手段とのセットであって、
上記各インデックスタブ２は長方形状であり、
インデックスタブ位置決め手段２０は、少なくともインデックスタブ２の幅ＤのＮ倍以上の幅を有する一枚のシート材２２で形成されており、シートファイルに対するインデックスタブ位置決め手段２０の幅方向の位置を決めるための、シート材２２の長さ方向の一辺で形成される、第１位置決め用ベースライン２４と、シートファイルに対するインデックスタブ位置決め手段の長さ方向の位置を決めるための、シート材の適所に幅方向に延びる第２位置決め用ベースライン２６とを有しており、この第２位置決め用ベースライン２６に沿って、等間隔に、各インデックスタブ２の基端部４ｂの幅方向及び長さ方向の位置を決めるための複数の位置決め用マーク３０を形成してなる。
【００１４】
本手段では、インデックスタブ２の組み合わせと、インデックスタブをシートファイルに等間隔に配置することに適したインデックスタブ位置決め手段２０（例えば図１１又は図１５参照）のセットを提案している。インデックスタブ位置決め手段２０を用いた位置決め機能を実現するためには、まずシートファイルに対するインデックスタブ位置決め手段自体の長さ方向及び幅方向の位置を決めることができること、並びにインデックスタブ位置決め手段の長さ方向及び幅方向にインデックスタブの長さの基本的な作用を説明している。
【００１５】
第４の手段は、第３の手段に記載のインデックスタブの組み合わせとインデックスタブ位置決め手段とのセットであり、
上記インデックスタブの組み合わせを、第１の手段に記載のインデックスタブの組み合わせとするとともに、各インデックスタブ２の基端部４ｂの長さを上記単位長さと同じとし、
上記インデックスタブ位置決め手段２０を形成するシート材２２を、第２位置決め用ベースライン２６を兼ねる折り目線で２つ折りし、かつ、上記位置決め用マーク３０を、上記各インデックスタブ２の基端部４ｂにフィットする形状の位置決め用孔として形成した。
【００１６】
本手段では、上記図１１に示すインデックスタブ位置決め手段２０を形成するシート材２２を、第２位置決め用ベースライン２６を兼ねる折り目線で２つ折りすることを提案している。従って折り目の内側にシート材２２の一辺を突き当てることで（図１３Ｂ参照）、インデックスタブ位置決め手段２０の長さ方向の位置決めをすることができ、使い勝手がよい。
【００１７】
第５の手段は、
第３の手段に記載のインデックスタブの組み合わせとインデックスタブ位置決め手段とのセットであり、
上記インデックスタブの組み合わせを、第２の手段に記載のインデックスタブの組み合わせとするとともに、各インデックスタブ２の基端部４ｂの長さを上記単位長さと同じとし、
上記インデックスタブ位置決め手段２０が有する第２位置決め用ベースライン２６を、第１位置決め用ベースライン２４の隣りに存するシート材２２の他の一辺で形成し、
上記位置決め用マーク３０は、シート材２２に対するインデックスタブ２の基端部４ｂの幅方向の位置を決めるための第１マーク部３０Ａと、シート材２２に対するインデックスタブ２の基端部４ｂの長さ方向の位置を決めるための第２マーク部３０Ｂとからなり、
上記第１マーク部３０Ａは、相互に単位長さＬＵと同じ間隙を存して第２位置決め用ベースライン２６と平行に配置されたＮ本の直線部ｓ１〜ｓＮで（図示例ではＮ＝６）構成され、第２位置決め用ベースライン２６から、第２位置決め用ベースライン２６に最も近い直線部までの距離を単位長さＬＵとした。
【００１８】
本手段では、図１５に示す如く、一枚のシート材２２に、シート材２２に対するインデックスタブ２の基端部４ｂの幅方向の位置を決めるための第１マーク部３０Ａと、シート材２２に対するインデックスタブ２の基端部４ｂの長さ方向の位置を決めるための第２マーク部３０Ｂとを設けている。これらのマーク部は印刷することができるので、インデックスタブ位置決め手段２０を簡易に製造することができる。
【００１９】
第６の手段は、第１の手段又は第２の手段に記載のインデックスタブの組み合わせであり、上記本体４の基端部４ｂから本体４の幅方向Ｘへ位置決め用突部６を突設しており、この位置決め用突部６は、上記幅方向Ｘに本体４の幅とほぼ同じ幅を有し、この位置決め用突部６の表側又は裏側のうち、上記本体４の基端部４ｂに接着部１２を設けた側と同じ側に、接着部を形成した。
【００２０】
本手段では、図１０に示すように、上記インデックスタブ２の基端部４ｂから幅方向へ位置決め用突部６を設けている。この位置決め用突部６の先端部を、シートファイル１０２の側端部に合わせて幅方向の距離を設定することができる。
【発明の効果】
【００２１】
第１の手段及び第２の手段に係る発明によれば、次の効果を奏する。
○インデックス情報既存のシートファイルにインデックスタブ２を装着することでインデックスタブ付きのシートファイルとすることができ、資源の無駄を生じない。
○複数のインデックスファイルに本発明のインデックスタブを適用したときにインデックスタブの幅方向及び長さ方向の２方向にインデックス情報を表示することができる。
○シートファイルの順番を入れ替えても一のシートファイルの表示セクション１０Ａを、他のシートファイルの透明セクション１０Ｂを通して透視することができる。
第３の手段に係る発明によれば、インデックスタブ位置決め手段２０を設けたから、シートファイルの一辺に複数のインデックスタブ２を等間隔に体裁よく展開できる。
第４の手段に係る発明によれば、インデックスタブ位置決め手段２０のシート材２２を折ってシートファイルに適用するから、位置決め作業をより的確に行うことができる。
第５の手段に係る発明によれば、インデックスタブ位置決め手段２０は、シート材２２に位置決め用マークを描いてなるから、廉価に製造することができる。
第６の手段では、インデックスタブ位置決め手段２０に対応する位置決め用突部６をインデックスタブ２自体に設けたから、例えばインデックスタブ位置決め手段を紛失してシートファイルへの取り付けができないなどの不都合を回避できる。
【図面の簡単な説明】
【００２２】
【図１】本発明の第１実施形態に係るインデックスタブの組み合わせを正面方向から示す図であり、同図（Ａ）は、インデックスタブの先部が単位長さのもの、同図（Ｂ）は、インデックスタブの先部が単位長さの２倍のもの、同図（Ｃ）は、インデックスタブの先部が単位長さの３倍のもの、同図（Ｄ）は、インデックスタブの先部が単位長さの４倍のものをそれぞれ示している。
【図２】図１のインデックスタブの組み合わせのうち同図（Ａ）に示すインデックスタブの正面図である。
【図３】図２のインデックスタブの側面図である。
【図４】図２のインデックスタブをシートファイルに装着した状態の側面図である。
【図５】図２のインデックスタブをシートファイルに装着した状態の正面図である。
【図６】図１のインデックスタブを装着した複数のシートファイルを各表示セクションが一覧表示されるように重ねた状態の正面図である。
【図７】インデックスタブ付きの複数のシートファイルの使用例の説明図であり、同図（Ａ）は重ね合せた複数のシートファイルの束から一部のシートファイルを取り出す段階を、同図（Ｂ）は取り出したシートファイルを複数のシートファイルの束へ戻す段階の説明図である。
【図８】図７（Ｂ）の段階より、取り出したシートファイルをシートファイルの束へ戻した状態の説明図である。
【図９】本発明の第２実施形態に係るインデックスタブの構成説明図であり、同図（Ａ）は当該インデックスタブの正面図、同図（Ｂ）は当該インデックスタブの側面図である。
【図１０】図９のインデックスタブの使用説明図であり、同図（Ａ）はシートファイルの左側に対して、また同図（Ｂ）はシートファイルの右側に対してそれじれ位置決めを行った図である。
【図１１】本発明の第３実施形態に係るインデックスタブ位置決め手段の正面図である。
【図１２】図１０のインデックスタブ位置決め手段の使用例の第１段階としてシートファイルにインデックスタブ位置決め手段を適用するときの説明図であり、同図（Ａ）は第１段階を正面方向から見た図、同図（Ｂ）は第１段階を側方から見た図である。
【図１３】図１０のインデックスタブ位置決め手段の使用例の第２段階としてシートファイルに適用されたインデックスタブ位置決め手段を用いてインデックスタブをシートファイルに取り付けるときの説明図であり、同図（Ａ）は第２段階を正面方向から見た図、同図（Ｂ）は第２段階を側方から見た図である。
【図１４】図１０のインデックスタブ位置決め手段の使用例の第１段階としてシートファイルに適用されたインデックスタブ位置決め手段を用いてインデックスタブをシートファイルに取り付けたときの説明図であり、同図（Ａ）は第３段階を正面方向から見た図、同図（Ｂ）は第３段階を側方から見た図である。
【図１５】本発明の第４実施形態に係るインデックスタブ位置決め手段の正面図である。
【図１６】図１５のインデックスタブ位置決め手段の使用例としてシートファイルにインデックスタブ位置決め手段を適用したときの説明図である。
【図１７】第４実施形態においてインデックスタブ位置決め手段を用いてインデックスタブをシートファイルに取り付けた態様の説明図である。
【発明を実施するための最良の形態】
【００２３】
図１から図８は、本発明の第１の実施形態に係るシートファイル装着用インデックスタブ２の組み合わせを示している。
【００２４】
説明の都合上、インデックスタブ２の組み合わせよりも先に、当該インデックスタブが装着されるシートファイル１０２を解説する。上記シートファイル１０２は、好ましくは矩形の表側シート部１０２ａと裏側シート部１０２ｂとからなり、隣り合う一対の辺を閉塞辺部１０４ｃとし、残りの２辺を開放辺部１０４ｏとしている。図示のシートファイル１０２は、左右両側辺を長辺、上下両辺を短辺とする縦長の形状であり、表側シート部１０２ａ及び裏側シート部１０２ｂは同一形状・同一寸法であるが、その形態は適宜変更することができる。図示例では、表側シート部１０２ａ及び裏側シート部１０２ｂを一枚のシート材から形成しており、側方の閉塞辺部１０４ｃは折り曲げにより形成し、下側の閉塞辺部１０４ｃは接合などの適当な手段により連結している。シートファイル１０２は例えば合成樹脂材で形成することができる。本体４の形状は、後述のインデックスタブ位置決め手段２０と併せて使用する場合には、左右側縁が下縁に対して直角な図形（典型例として長方形）であることが好適であるが、単独で使用する場合には、図示例に示す矩形には限定されず、或る程度の突出長さを確保できればよい。
【００２５】
インデックスタブ２の組み合わせは、任意の数（Ｎ）のインデックスタブ２で構成されている。各インデックスタブ２は、本実施形態において矩形のシート状の本体４で形成される。本体４は、その長さ方向（Ｙ）の全長に亘って一定の幅Ｄを有する。
【００２６】
なお、一般的には物が長く延びている方向の寸法をその物の長さというが、本明細書では、全体品（インデックスタブ又はシートファイル）の任意に定めた方向の寸法を「幅」と、また幅方向と直交する寸法を「長さ」といい、全体品の部分の幅方向・長さ方向は全体品の各方向に準じて定めるものとする。
【００２７】
本体４の基端部４ｂには、図３に示す如く、シートファイルへ取り付けるための接着部１２を設け、その接着力により、基端部４ｂ以外の本体部分で形成する先部４ａをシートファイル１０２の外方へ突出した状態で支持できるように形成している。また上記接着部１２は、シートファイル１０２へ着脱自在な粘着部とすることができる。図示例では、基端部４ｂの裏面に設けた接着部１２をシートファイル１０２の裏側シート部１０２ｂへ貼り付けることができるようにしているが、基端部４ｂの表面に設けた接着部１２をシートファイル１０２の表側シート部１０２ａへ貼り付けることができるようにしてもよい。
【００２８】
各インデックスタブ２の幅Ｄ及び基端部４ｂの長さＬＢは、少なくともそのインデックスタブ２の先部４ａを支持できる程度の接着面積を確保できるように定める。図示例において基端部４ｂの長さＬＢはインデックスタブ２の幅Ｄよりも小である。本実施形態のインデックスタブ２の組み合わせを単独で用いる場合には、各インデックスタブ２の基端部４ｂの長さＬＢは任意に設定することができるが、インデックスタブ２の組み合わせを後述のインデックスタブ位置決め手段２０とともに用いる場合には、各インデックスタブの基端部４ｂの長さＬＢを同じとすることが望ましい。その理由は後述する。このときには、各インデックスタブ２のうち最も長いものの先部４ａを基準として、この先部４ａを支持できるように基端部４ｂの長さＬＢを設定する。
【００２９】
上記インデックスタブ２の先部４ａは、長さ方向Ｙの少なくとも一部の区画を、インデックス情報表示用の表示セクション１０Ａとしている。表示セクション１０Ａは、予め表示すべき文字・記号などを印刷するか、或いは利用者による書き込みが可能な構造とする。表示セクション１０Ａは、書き込み可能な透明領域としてもよいが、書き込み可能な不透明領域としてもよい。例えば書き込み可能で不透明なプラスチック製或いは紙製のラベルを、インデックスタブ２の当該区画に貼り付けてもよい。図面では表示セクション１０Ａに記載する書き込みの内容の例示として、“Ａ−１”、“Ａ−２”、“Ａ−３”、“Ａ−４”などと表示している。これらの表示は、説明の便宜上、各表示をしたインデックスタブ２を相互に識別するために用いることがある。
【００３０】
本実施形態は、各インデックスタブ２の先部４ａの長さがそれぞれ異なり、図１（Ａ）のタイプでは、上記先部４ａ全体をインデックス情報表示用の表示セクション１０Ａとしている。図１（Ｂ）〜（Ｄ）のタイプは単位長さの整数倍の長さを有する。に想像線で表した仮想直線Ｐを境界線として、単位長さＬＵ毎に等分割し、それら区画のうち最も外方に位置する区画を、表示セクション１０Ａとし、残りの区画を透明セクション１０Ｂとする。図１（Ｂ）は先部４ａを２分割した構成を、図１（Ｃ）は先部４ａを３分割した構成を、図１（Ｄ）は第２方向Ｙに先部４ａを４分割した構成をそれぞれ示している。なお、“インデックスタブを等分割して”という表現は、インデックスタブを想像線で等分割して得られる区画の大きさ・位置を特定するために用いており、例えば想像線の位置に区分線を印刷するなどとすることを要しない。
【００３１】
このインデックスタブ２の組み合わせを使用するときには、複数組の組み合わせを同時に使用するとよい。例えば四組のインデックスタブの組み合わせを使って、各組の図１（Ａ）のインデックスタブの基端部４ｂをそれぞれ４枚のシートファイルの対応する辺に、位置をずらして貼り付ける。この際にインデックスタブ２の長さ方向Ｙがきちんとシートファイルの一辺と直交するようにすることが重要であり、貼り付ける方向や位置がぶれると体裁を損なう。位置及び方向を正しく設定する手段については後述する。
【００３２】
こうして得られた４個のインデックスタブ付きシートファイルを重ねると、図５のようになる。さらに図１（Ｂ）、図１（Ｃ）、図１（Ｄ）のインデックスタブの基端部４ｂを、それぞれ１２枚のシートファイルの対応する辺に貼り付け、全部のインデックスタブ付きシートファイルを重ねると図６のようになる。これが本発明のインデックスタブ２の使用例の最終的な形態である。本発明のインデックスタブ２を用いると、２方向（幅方向Ｘ及び長さ方向Ｙ）にインデックス情報を展開することができ、一方向にのみ情報を展開する従来のインデックス技術と比較して、一見して目に入る情報量が飛躍して増大し、一覧性が向上する。
【００３３】
しかしながら、長さが異なるインデックスタブ２の先端部にインデックス情報の表示セクション１０Ａを設けたときには、インデックスタブ２の重ね順の変更により、一のインデックスタブの表示セクション１０Ａが他のインデックスタブ２の陰に隠れてしまう可能性がある。
【００３４】
そこで本出願人は、インデックスタブ２の先部４ａのうち表示セクション１０Ａ以外の部分を透明セクション１０Ｂとして、重ね順の自由度を確保している。最初の重ね合わせ状態から、図７（Ａ）に示すように一部のシートファイル（表示セクションにＡ−２及びＡ−４と書き込みしたシートファイル）を引き出し、収納物を入れたり、或いは取り出したりして、使用した後に、重なり状態の元のシートファイルの束の前側へまとめて戻すと、図７（Ｂ）に示す如く、各インデックスタブ２の手前からの順序はＡ−２→Ａ−４→Ａ−１→Ａ−３となる。このときにＡ−１のインデックスタブ２は、Ａ−２のインデックスタブ２及びＡ−４のインデックスタブ２の後にあるが、前者の表示セクション１０Ａは、図８に点線で表す如く、後者の透明セクション１０Ｂを透かして看ることができる。同様にＡ−３のインデックスタブ２は、Ａ−４のインデックスタブ２の後にあるが、前者の表示セクション１０Ａは後者の透明セクション１０Ｂを透かして看ることができる。
【００３５】
このように本発明の構成では、シートファイルの辺に直交する方向にインデックスタブ２を展開したから一覧可能性が向上するとともに、シートファイルの順番をどのように入れ替えても、全てのインデックスタブ２を一覧することができ、利便性が高まる。
【００３６】
以下本発明の他の実施形態を説明する。これらの説明において第１実施形態と同じ構造については解説を省略する。
【００３７】
図９から図１０は、本発明の第２実施形態に係るシートファイル装着用のインデックスタブ２を示している。本実施形態では、インデックスタブ２の基端部４ｂから位置決め用突部６を突出している。この位置決め用突部６の突出長は、インデックスタブ２の幅Ｄと同程度とし、より具体的にはインデックスタブ２の幅Ｄにインデックスタブ２間の隙間Ａを加えた大きさとするとよい。位置決め用突部６の裏面には基端部４ｂに形成した接着部１２を延設する。この位置決め用突部６は、その先端部をシートファイル１０２の一辺と隣り合う辺に合わせて幅方向の位置決めを行う。
【００３８】
４枚のインデックスタブ２の組み合わせの場合には、そのうちの２枚のインデックスタブ２は位置決め用突部６を設けず、２枚のインデックスタブ２については、（Ｄ＋Ａ）の長さの位置決め用突部６を突出するが、その突出方向は１枚については基端部４ｂから右方、他の一枚については基端部４ｂから左方とする。２×（Ｄ＋Ａ）−Ａがシートファイルの一辺の長さと等しくなるように設定する。図示していないが、６枚のインデックスタブ２の組の場合には、４枚のインデックス組の構成に加えて、残りの２枚のインデックスタブ２については、（２Ｄ＋２Ａ）の長さの位置決め用突部６を突出するが、その突出方向は１枚については基端部４ｂから右方、他の一枚については基端部４ｂから左方とする。３×（Ｄ＋Ａ）−Ａがシートファイルの一辺の長さと等しくなるように設定する。
【００３９】
図１１から図１４は、本発明の第３実施形態としてインデックスタブの組み合わせとインデックスタブ位置決め手段２０とのセットを表す。本実施形態のインデックスタブの組み合わせに関しては、第１実施形態のものの説明を援用する。
【００４０】
このインデックスタブ位置決め手段２０は、長方形状のシート材２２の第１辺（図示例では短辺）と直交する折れ目線を設け、この折り目線を境としてそれぞれ長方形である第１シート部２２ａ及び第２シート部２２ｂに分割する。本明細書でいう“長方形”とは隣接２辺が直角な四角形という意味であり、正方形を含む。隣接２辺が直角であることが位置決め機能の前提条件となるからである。シート材２２の第２辺（図示例では長辺）は、シートファイルの開放辺部１０４ｏである一辺と同じ程度の長さとする。
【００４１】
シートファイル１０２に対してインデックスタブ２の位置を定めるためには、まずシートファイル１０２に対してインデックスタブ位置決め手段２０自体の位置を決める必要があるが、本実施形態でその役割を果たすのがシート材２２の第１辺及び折り目線である。すなわち、シート材２２の第１辺は、シートファイルの閉塞辺部１０４ｃの内側に突き当てて幅方向の位置を決めるための第１位置決め用ベースライン２４とする。シート材２２の折り目線は、シートファイルの開放辺部１０４ｏを突き当てて長さ向の位置を決めるための第２位置決め用ベースライン２６とする。
【００４２】
第２シート部２２ｂには、第２位置決め用ベースライン２６に沿って、インデックスタブ２と同数の位置決め用マーク３０を等間隔に設ける。各位置決め用マーク３０は、インデックスタブ２の幅方向の位置を決めるための部分（第１マーク部３０Ａ）と、インデックスタブ２の長さ方向の位置を決めるための部分（第２マーク部３０Ｂ）とを有する。本実施形態では、上記位置決め用マーク３０を、各インデックスタブ２の基端部４ｂにフィットする形状の位置決め用孔としている。位置決め用孔の左右側縁が第１マーク部３０Ａであり、位置決め用孔の下縁が第２マーク部３０Ｂである。
【００４３】
上記構成において、インデックスタブ２を突き当てるときには、図１２に示す如く、インデックスタブ位置決め手段２０の第１シート部２２ａに対して第２シート部２２ｂを折り重ね、この第２シート部２２ｂをシートファイル１０２の間に挿入し、次に第１位置決め用ベースライン２４の一部（第２シート部２２ｂの辺に相当する部分）を、シートファイル１０２の閉塞辺部１０４ｃの内側へ突き当てる。これによりシートファイル１０２に対するインデックスタブ位置決め手段２０の幅方向の位置が決まる。
【００４４】
次に図１３に示す如くインデックスタブ位置決め手段２０の第２位置決め用ベースライン２６の内側にシートファイル１０２の裏側シート部１０２ｂの端部を突き当てる。これによりシートファイル１０２に対するインデックスタブ位置決め手段２０の長さ方向の位置が決まる。
【００４５】
そしてシートファイル１０２の裏側シート部１０２ｂの表側に第２シート部２２ｂを重ねた状態で、図１３に矢示する如く、第２シート部２２ｂの位置決め用マーク３０である位置決め用孔の一つに、インデックスタブ２の基端部４ｂを挿入して表側シート部１０２ａのうち位置決め用孔内に露出する部分に貼り付ける（図１４参照）。これによりインデックスタブ２を、シートファイル１０２の幅方向及び長さ方向に所定の箇所に貼り付けることができる。
【００４６】
図示の通り、インデックスタブ２の基端部の左右両縁部及び位置決め用孔である位置決め用マーク３０の左右両縁部は垂直直線であるため、これら対応する縁部を合わせること（アラインメント）により、インデックスタブ２を、シートファイル１０２の一辺に直交する方向に正しく配向することができる。上記アラインメントをした場合の配向方向の規則正しさは、図１４に想像線で表す如く、図１（Ｂ）〜（Ｃ）に示す先部４ａの長さが単位長さの整数倍であるインデックスタブを貼り付けるときに顕著に表れる。これにより、インデックスタブ２の組み合わせを、各シートファイルに対して、図６に示すように整然と取り付けることができ、体裁がよい。
【００４７】
なお、図示例では、シートファイルの裏側シート部１０２ｂに貼り付けるための手順を説明したが類似の手順で表側シート部１０２ａに貼り付けることもできる。すなわち、インデックスタブ２を突き当てるときには、インデックスタブ位置決め手段２０の第２シート部２２ｂを手で持って、第１シート部２２ａをシートファイル１０２の間に挿入し、次に第１位置決め用ベースライン２４をシートファイル１０２の閉塞辺部１０４ｃの内側へ突き当てる。次に、第２シート部２２ｂをシートファイルの表側に折り返し、そしてインデックスタブ位置決め手段２０の第２位置決め用ベースライン２６の内側にシートファイル１０２の表側シート部１０２ａの端部を突き当てる。そして表側シート部１０２ａのうち位置決め用マークである位置決め用孔内に露出する部分にインデックスタブ２を貼り付ければよい。
【００４８】
図１５から図１７は、本発明の第４実施形態に係るインデックスタブの組み合わせとインデックスタブ位置決め手段２０のセットを示す。
【００４９】
本実施形態のインデックスタブ２の組み合わせは、第１実施形態のインデックスタブ２の組み合わせとは、先部４ａの長さが全て同じである点が異なり、それ以外の構造は同じである。先部４ａの長さは、単位長さの２以上の整数倍である。例えば図１（Ｂ）〜図１（Ｄ）の何れかに示す同種類のインデックスタブ２を組み合わせればよい。
【００５０】
インデックスタブ位置決め手段２０は、一枚のシート材２２の一辺に沿ってインデックスタブ２と同数の位置決め用マーク３０を設ける。この位置決め用マーク３０は、インデックスタブ２の幅方向の位置を決めるための第１マーク部３０Ａと、インデックスタブ２の長さ方向の位置を決める第２マーク部３０Ｂとで構成する。第１マーク部３０Ａは、シート材２２の一辺と直角な２本の直線（図示例では垂直線）で形成され、これら直線の間隔はインデックスタブ２の幅に等しい。第２マーク部３０Ｂは、シート材２２の一辺と平行なＮ本の直線部ｓ１、ｓ２、ｓ３、ｓ４（図示例では水平線）で形成される。一辺と隣接する直線部ｓ１との距離、隣接する直線部同士の距離は、単位長さＬＵに等しい。
【００５１】
本実施形態では、上記シート材２２の一辺を第２位置決め用ベースライン２６とし、この一辺と隣り合う他辺を第１位置決め用ベースライン２４とする。
【００５２】
このインデックスタブ位置決め手段２０は、透明なシートファイル１０２に適用される。すなわち、図１６に示すようにシートファイル１０２の表側シート部１０２ａと裏側シート部１０２ｂとの間にインデックスタブ位置決め手段２０であるシート材２２を挿入して、インデックスタブ位置決め手段２０の第１位置決め用ベースライン２４をシートファイル１０２の右側の閉塞辺部１０４ｃの内側に突き当て、またシートファイルの一辺（上側の開放辺部１０４ｏ）にインデックスタブ位置決め手段２０の第２位置決め用ベースラインを合わせて、シートファイル１０２に対するインデックスタブ位置決め手段２０の幅方向及び長さ方向の位置を決める。
【００５３】
次にインデックスタブ２の左右両縁部を、第１マーク部３０Ａを構成する２本の垂直線に合わせ、かつ、インデックスタブ２の下縁部を、第２マーク部３０Ｂを構成するＮ本の水平線のうちの一つに合わせる。これによりインデックスタブ位置決め手段２０に対するインデックスタブ２の幅方向及び長さ方向の位置を決める（図１７参照）。これにより、第３実施形態と同様の機能が実現する。
【符号の説明】
【００５４】
２…インデックスタブ  ４…本体  ４ａ…先部  ４ｂ…基端部
６…位置決め用突部
１０Ａ…表示セクション  １０Ｂ…透明セクション
１２…接着部  １４…剥離用シート
２０…インデックスタブ位置決め手段
２２…シート材  ２２ａ…第１シート部  ２２ｂ…第２シート部
２４…第１位置決め用ベースライン  ２６…第２位置決め用ベースライン
３０…位置決め用マーク
３０Ａ…第１マーク部  ３０Ｂ…第２マーク部
ｓ１、ｓ２、ｓ３、ｓ４…直線部
ＬＢ…基端部の長さ  ＬＵ…単位長さ
１０２…シートファイル  １０２ａ…表側シート部  １０２ｂ…裏側シート部
１０４…辺  １０４ｃ…閉塞辺部  １０４ｏ…開放辺部
１０６…接合部
Ａ…間隙  Ｄ…インデックスタブの幅
Ｌ…突出長  Ｐ…仮想直線  Ｔ１〜ＴＮ…シートファイル  
Ｎ…インデックスタブの数  ｎ…序数（順番）
Ｘ…幅方向  Ｙ…長さ方向
【図１】
2014233842.tif 000003
【図２】
2014233842.tif 000004
【図３】
2014233842.tif 000005
【図４】
2014233842.tif 000006
【図５】
2014233842.tif 000007
【図６】
2014233842.tif 000008
【図７】
2014233842.tif 000009
【図８】
2014233842.tif 000010
【図９】
2014233842.tif 000011
【図１０】
2014233842.tif 000012
【図１１】
2014233842.tif 000013
【図１２】
2014233842.tif 000014
【図１３】
2014233842.tif 000015
【図１４】
2014233842.tif 000016
【図１５】
2014233842.tif 000017
【図１６】
2014233842.tif 000018
【図１７】
2014233842.tif 000019